(57)【要約】【課題】仮想通貨保管取引プロセスにおけるセキュリティを確保した仮想通貨保管取引システム及びその使用方法を提供する。【解決手段】第１の端末１は、ネットワーク切断状態において、仮想通貨を保管する財布のシードパスワードとカスタムパスワードを基に、前記仮想通貨の財布を暗号化するための秘密鍵を生成し、前記秘密鍵に対応する識別コード付きの保管アドレスを生成して、前記保管アドレスに支払った前記仮想通貨を受け取るように構成され、更に、入力された支払いアドレスに基づいて、前記支払いアドレスに対応する第三者に前記仮想通貨を支払うように構成される。第２の端末２は、ネットワーク接続状態において、前記第三者に、前記仮想通貨を支払う取引情報を配信するように構成される。第1の端末１と第2の端末２は、互いに表示画面上の識別コードを走査することで、情報対話を行う。【選択図】図1
2019517038.tif 000002
【特許請求の範囲】
【請求項１】
ネットワーク切断状態において、仮想通貨を保管する財布のシードパスワード、又は前記シードパスワードとカスタムパスワードを基に、前記仮想通貨の財布を暗号化するための秘密鍵を生成し、前記秘密鍵に対応する識別コード付きの保管アドレスを生成して、前記保管アドレスに支払った前記仮想通貨を受け取るように構成され、
更に、入力された支払いアドレスに基づいて、前記支払いアドレスに対応する第三者に前記仮想通貨を支払うように構成される第1の端末と、
ネットワーク接続状態において、前記第三者に、前記仮想通貨を支払う取引情報を配信するように構成される第2の端末と、
を含み、
前記第1の端末と前記第2の端末は、互いに表示画面上の識別コードを走査することで、情報対話を行うことを特徴とする仮想通貨保管取引システム。
【請求項２】
前記識別コードは二次元コードであることを特徴とする請求項1に記載の仮想通貨保管取引システム。
【請求項３】
前記秘密鍵は、更に、前記保管アドレスを生成するための、バイナリコードの文字列である公開鍵を生成するためのものであることを特徴とする請求項1又は2に記載の仮想通貨保管取引システム。
【請求項４】
前記公開鍵と前記秘密鍵は、楕円曲線暗号アルゴリズムによりペアで生成されることを特徴とする請求項3に記載の仮想通貨保管取引システム。
【請求項５】
前記支払いアドレスは、前記第1の端末に予め記憶されており、フラグが設けられていることを特徴とする請求項4に記載の仮想通貨保管取引システム。
【請求項６】
前記第1の端末は、更に前記カスタムパスワードを使用して前記シードパスワードを回復するように構成されることを特徴とする請求項1、2、4又は5に記載の仮想通貨保管取引システム。
【請求項７】
前記第1の端末は、
支払うべき金額と前記支払いアドレスが入力された後にトリガされた送信アクションを受信すると、前記カスタムパスワードを入力する入力ボックスを表示し、
前記カスタムパスワード、及び前記カスタムパスワードに対する確認アクションを受信し、判断して前記カスタムパスワードが正しいと分かると、前記支払うべき金額に対する識別コードを生成して、前記第2の端末に走査されることと、
前記第2の端末は、
前記第1の端末の前記支払うべき金額に対する識別コードを走査し、取引の送信の確認がトリガされたアクションを受信すると、前記支払うべき金額を支払う取引アクションを前記第三者に送信することを確認して、取引記録情報を形成することと、を含むことを特徴とする請求項1に記載の仮想通貨保管取引システムの使用方法。
【請求項８】
前記第1の端末は、
残高をリフレッシュするトリガアクションを受信すると、前記保管アドレスの識別コードを表示して、前記第2の端末に走査され、
前記第2の端末が前記保管アドレスの識別コードを走査した後に返された識別コードを走査し、前記仮想通貨の金額を更新し、
前記第2の端末は、
前記第1の端末が生成した保管アドレスに対応する識別コードを走査し、前記仮想通貨の金額を更新する識別コードを生成して、前記第1の端末に走査されることを特徴とする請求項7に記載の仮想通貨保管取引システムの使用方法。
【請求項９】
前記方法の前に前記第1の端末を予め設定し、前記設定は、
新規財布を作成するトリガアクションを受信すると、既存財布のシードパスワードをバックアップするようにユーザーに促す第1の提示情報を表示することと、
前記第1の提示情報に対してトリガされた確認アクションを受信すると、前記新規財布のシードパスワード、及び前記新規財布のシードパスワードをバックアップするように前記ユーザーに促す第2の提示情報を生成することと、
前記第2の提示情報に対してトリガされた確認アクションを受信すると、前記新規財布のシードパスワードを再入力する入力ボックスを表示することと、
前記シードパスワードの入力ボックスへの入力内容の確認情報を受信し、判断して前記入力内容が正しいと分かると、カスタムパスワードを設定する入力ボックス、及び前記カスタムパスワードに対する確認入力ボックスを表示すること、
前記カスタムパスワードの入力ボックス、及び前記確認入力ボックスの確認情報を受信すると、前記シードパスワードと前記カスタムパスワードを基に、前記新規財布の秘密鍵、及び、対応する前記仮想通貨を保管する保管アドレスを生成することと、を含み、
或いは、
既存財布を復元するトリガアクションを受信すると、前記既存財布のシードパスワードを入力する入力ボックスを表示することと、
前記既存財布のシードパスワードの入力ボックスへの入力内容の確認情報を受信し、判断して前記入力内容が正しいと分かると、カスタムパスワードを設定する入力ボックス、及び前記カスタムパスワードに対する確認入力ボックスを表示することと、
前記カスタムパスワードの入力ボックス及び前記確認入力ボックスの確認情報を受信すると、前記シードパスワードと前記カスタムパスワードを基に、前記既存財布の秘密鍵、及び対応する前記仮想通貨を保管する保管アドレスを生成することと、を含むことを特徴とする請求項7又は8に記載の仮想通貨保管取引システムの使用方法。
【請求項１０】
前記支払うべき金額の識別コードを、セグメント化して表示することを含むことを特徴とする請求項7又は8に記載の仮想通貨保管取引システムの使用方法。
【発明の詳細な説明】
【技術分野】
【０００１】
本発明における実施例は、仮想通貨支払い分野に関するもので、具体的には、仮想通貨保管取引システム及びその使用方法に関するものである。
【背景技術】
【０００２】
情報技術が急速に発展している現在、物理通貨は益々人々の資金の流れに関するニーズを満たさなくなる。それに応じて、ビットコイン（登録商標）、ライトコイン（登録商標）などの仮想通貨が登場した。仮想通貨はハイテクを利用して、物理通貨の代わりに流通する情報ストリーム又はデータストリームを指す。
【０００３】
従来の仮想通貨は、各事業者のサーバーに保管され、リチャージや支払いが必要になる場合、ネットワークを介して取引するが、仮想通貨をリモートサーバーに保管してネットワークを介して取引する方式であるため、アカウントなどの秘密情報が容易に不正者に盗まれることにより、仮想通貨の保管や取引にセキュリティ上のリスクをもたらす。
【０００４】
従って、仮想通貨の保管や取引プロセスにおけるセキュリティを確保できるようにすることが、解決しなければならない課題となる。
【発明の概要】
【発明が解決しようとする課題】
【０００５】
従来技術における既存の課題に対して、本発明は、仮想通貨の保管や取引プロセスにおけるセキュリティを確保した仮想通貨保管取引システム及びその使用方法の提供を課題とする。
【課題を解決するための手段】
【０００６】
本発明に係る一態様においては、
ネットワーク切断状態において、仮想通貨を保管する財布のシードパスワード、又は前記シードパスワードとカスタムパスワードを基に、前記仮想通貨の財布を暗号化するための秘密鍵を生成し、前記秘密鍵に対応する識別コード付きの保管アドレスを生成して、前記保管アドレスに支払った前記仮想通貨を受け取るように構成され、
更に、入力された支払いアドレスに基づいて、前記支払いアドレスに対応する第三者に前記仮想通貨を支払うように構成される第1の端末と、
ネットワーク接続状態において、前記第三者に、前記仮想通貨を支払う取引情報を配信するように構成される第2の端末と、
を含み、
前記第1の端末と前記第2の端末は、互いに表示画面上の識別コードを走査することで、情報対話を行う仮想通貨保管取引システムが提供される。
【０００７】
別の本発明に係る一態様においては、
前記第1の端末は、
支払うべき金額と前記支払いアドレスが入力された後にトリガされた送信アクションを受信すると、前記カスタムパスワードを入力する入力ボックスを表示し、
前記カスタムパスワード、及び前記カスタムパスワードに対する確認アクションを受信し、判断して前記カスタムパスワードが正しいと分かると、前記支払うべき金額に対する識別コードを生成して、前記第2の端末に走査されることと、
前記第2の端末は、
前記第1の端末の前記支払うべき金額に対する識別コードを走査し、取引の送信の確認がトリガされたアクションを受信すると、前記支払うべき金額を支払う取引アクションを前記第三者に送信することを確認して、取引記録情報を形成することと、を含む上記仮想通貨保管取引システムの使用方法が提供される。
【発明の効果】
【０００８】
本発明によれば、仮想通貨保管取引プロセスにおけるセキュリティを確保した仮想通貨保管取引システム及びその使用方法を提供できる。
【図面の簡単な説明】
【０００９】
【図１】本発明における実施例に係る仮想通貨保管取引システムの構造模式図である。
【図２ａ】本発明における実施例に係るシステムの使用方法における取引プロセスのスクリーンショットである。
【図２ｂ】本発明における実施例に係るシステムの使用方法における取引プロセスのスクリーンショットである。
【図２ｃ】本発明における実施例に係るシステムの使用方法における取引プロセスのスクリーンショットである。
【図２ｄ】本発明における実施例に係るシステムの使用方法における取引プロセスのスクリーンショットである。
【図２ｅ】本発明における実施例に係るシステムの使用方法における取引プロセスのスクリーンショットである。
【図２ｆ】本発明における実施例に係るシステムの使用方法における取引プロセスのスクリーンショットである。
【図２ｇ】本発明における実施例に係るシステムの使用方法における取引プロセスのスクリーンショットである。
【図２ｈ】本発明における実施例に係るシステムの使用方法における取引プロセスのスクリーンショットである。
【図２ｉ】本発明における実施例に係るシステムの使用方法における取引プロセスのスクリーンショットである。
【図３ａ】本発明における実施例に係るシステムの使用方法において仮想通貨の金額を更新するスクリーンショットである。
【図３ｂ】本発明における実施例に係るシステムの使用方法において仮想通貨の金額を更新するスクリーンショットである。
【図３ｃ】本発明における実施例に係るシステムの使用方法において仮想通貨の金額を更新するスクリーンショットである。
【図３ｄ】本発明における実施例に係るシステムの使用方法において仮想通貨の金額を更新するスクリーンショットである。
【図４ａ】本発明における実施例に係るシステムの使用方法において新規財布を作成するために行う予めの設定のスクリーンショットである。
【図４ｂ】本発明における実施例に係るシステムの使用方法において新規財布を作成するために行う予めの設定のスクリーンショットである。
【図４ｃ】本発明における実施例に係るシステムの使用方法において新規財布を作成するために行う予めの設定のスクリーンショットである。
【図４ｄ】本発明における実施例に係るシステムの使用方法において新規財布を作成するために行う予めの設定のスクリーンショットである。
【図４ｅ】本発明における実施例に係るシステムの使用方法において新規財布を作成するために行う予めの設定のスクリーンショットである。
【図４ｆ】本発明における実施例に係るシステムの使用方法において新規財布を作成するために行う予めの設定のスクリーンショットである。
【図４ｇ】本発明における実施例に係るシステムの使用方法において新規財布を作成するために行う予めの設定のスクリーンショットである。
【図５ａ】本発明における実施例に係るシステムの使用方法において既存財布を復元するために行う予めの設定のスクリーンショットである。
【図５ｂ】本発明における実施例に係るシステムの使用方法において既存財布を復元するために行う予めの設定のスクリーンショットである。
【図５ｃ】本発明における実施例に係るシステムの使用方法において既存財布を復元するために行う予めの設定のスクリーンショットである。
【図５ｄ】本発明における実施例に係るシステムの使用方法において既存財布を復元するために行う予めの設定のスクリーンショットである。
【図６ａ】本発明における実施例に係るシステムの使用方法において常用支払いアドレスを予め設定するためのスクリーンショットである。
【図６ｂ】本発明における実施例に係るシステムの使用方法において常用支払いアドレスを予め設定するためのスクリーンショットである。
【図６ｃ】本発明における実施例に係るシステムの使用方法において常用支払いアドレスを予め設定するためのスクリーンショットである。
【発明を実施するための形態】
【００１０】
本発明における実施例の目的、技術案及び利点をより明確にするために、以下、添付の図面を参照しながら、本発明における実施例の技術案を明確かつ完全に記載する。言うまでもなく、記載する実施例は本発明の一部の実施例であり、全ての実施例ではない。本発明における実施例に基づいて、当業者が創造的な労働が要らない前提で得た全ての他の実施例は、本発明の保護範囲に属するものである。
【００１１】
図1は本発明における実施例に係る仮想通貨保管取引システムの構造模式図であり、図1に示すように、本発明における実施例に係る仮想通貨保管取引システムは、第1の端末1と第2の端末2とを含み、そのうち、前記第1の端末1は、ネットワーク切断状態にある。第1の端末1は、ネットワーク接続の機能を持たないようにカスタマイズされてもよい。前記第1の端末1は、前記仮想通貨を保管する財布のシードパスワードを基に、又は前記シードパスワードとカスタムパスワードを基に、前記仮想通貨の財布を暗号化するための秘密鍵を生成する。即ち、各シードパスワードは複数の秘密鍵に対応することができる。仮想通貨のタイプは、ビットコイン（登録商標）、ライトコイン（登録商標）等であってもよい。仮想通貨の財布とは、第1の端末1に登録されるアカウントであると理解されることができる。シードパスワードは、第1の端末1においてランダムに生成されることができ、具体的な生成方法については、当分野における成熟した技術であり、ここで贅言しない。1つのシードパスワードは、複数種類の仮想通貨に対応することができる。シードパスワードを取得した後、バックアップする必要がある。シードパスワードを他人に漏らしてはならない。シードパスワードが紛失になると、当該財布内の仮想通貨が紛失されることを招いてしまう。具体的なバックアップ方式は、転写記録すること又はドキュメントにコピーして貼り付けること等であってもよい。カスタムパスワードは、シードパスワードが生成された後、ユーザーに促して自ら設定されたパスワードであってもよく、複数の英文字や数字を含めることができる。秘密鍵はシードパスワードとカスタムパスワードを基に楕円曲線暗号アルゴリズムにより生成されたものであってもよいし、又はシードパスワードを基に楕円曲線暗号アルゴリズムにより生成されたものであってもよい。秘密鍵により財布内の仮想通貨がセキュリティに保管されることが確保できる。前記第1の端末1は、また、前記秘密鍵に対応する識別コード付きの保管アドレスを生成して、前記保管アドレスに支払った前記仮想通貨を受け取る。保管アドレスとは、財布内の仮想通貨を保管するアドレスであると理解されてもよい。異なる種類の仮想通貨は、異なる保管アドレスに対応することができ、即ち、ビットコインは、一種類の保管アドレスに対応し、ライトコインは、もう一種類の保管アドレスに対応する。同じ種類の仮想通貨も、複数の異なる保管アドレスに対応することができ、即ち、仮想通貨の種類がいずれもビットコインである場合も、複数の異なる保管アドレスに対応することができる。他の端末は、当該保管アドレスの識別コードを走査することで当該保管アドレスに仮想通貨を支払うことができ、即ち、当該保管アドレスの識別コードは、外部から当該財布への支払い入り口を提供した。
【００１２】
前記第1の端末1は、更に、入力された支払いアドレスに基づいて、前記支払いアドレスに対応する第三者に前記仮想通貨を支払うように構成される。支払いアドレスは、第1の端末1の表示画面に表示することができる。第三者とは、第1の端末1内の財布から支払った仮想通貨を受け取る他の端末であると理解されてもよい。
【００１３】
前記第2の端末2は、ネットワーク接続状態において、前記第三者に、前記仮想通貨を支払う取引情報を配信し、異なる仮想通貨の種類によって関連するブロックチェーン（登録商標）ネットワークに送信する。即ち、仮想通貨の種類がビットコインである場合、ビットコインに関連するブロックチェーンネットワークに送信し、仮想通貨の種類がライトコインである場合、ライトコインに関連するブロックチェーンネットワークに送信する。前記第2の端末2は、更に、第1の端末1における識別子を走査することで、更新後の仮想通貨の金額を取得するように構成される。第2の端末2は、ネットワークを介して第三者に接続されることにより、支払い取引のプロセスを達成した。取引情報には、取引時間、取引金額、手数料等を含むことができる。
【００１４】
前記第1の端末1と前記第2の端末2は、互いに表示画面上の識別コードを走査することで、情報対話を行う。相応する第1の端末1又は第2の端末2で、カメラの権限を有効にする必要がある。即ち、第2の端末2は、第1の端末1の表示画面上の識別コードを走査することができ（第2の端末2でカメラの権限を有効にする必要がある）、第1の端末1は、第2の端末2の表示画面上の識別コードを走査することができ（第1の端末1でカメラの権限を有効にする必要がある）、更に、電磁波を介して情報を伝送することではなく、識別コードを介して情報を伝送することにより、秘密鍵のセキュリティを確保する。
【００１５】
本発明における実施例に係る仮想通貨保管取引システムは、仮想通貨保管取引プロセスにおけるセキュリティを確保することができる。
【００１６】
上記実施例において、前記識別コードは二次元コードであり、バーコード等を更に含んでもよいが、本発明は、特にこれに限定されるものではない。
【００１７】
本発明における実施例に係る仮想通貨保管取引システムは、識別コードを現在一般に使用される二次元コードとすることにより、当該システムが広く使用されることに寄与する。
【００１８】
上記実施例において、前記秘密鍵は更に、前記保管アドレスを生成するための、バイナリコードの文字列である公開鍵を生成するためのものである。
【００１９】
本発明における実施例に係る仮想通貨保管取引システムは、公開鍵により、第三者が当該保管アドレスを取得することがより便利になり、それにより、当該システムの普及に寄与する。
【００２０】
上記実施例において、前記公開鍵と前記秘密鍵は、楕円曲線暗号アルゴリズムによりペアで生成される。秘密鍵は公開鍵と同じで、いずれもバイナリコードの文字列を含んでもよい。しかしながら、公開鍵は外に公開して表示してもよいが、秘密鍵はいつでも秘匿化される。
【００２１】
本発明における実施例に係る仮想通貨保管取引システムは、楕円曲線暗号アルゴリズムにより公開鍵と秘密鍵をペアで生成して、生成された秘密鍵が解読されにくくすることで、仮想通貨保管をよりセキュアにする。
【００２２】
上記実施例において、前記支払いアドレスは、前記第1の端末1に予め記憶されており、フラグが設けられている。第三者に仮想通貨を支払う度に支払いアドレスを入力する必要があるので、常用の支払いアドレスを第1の端末1に予め記憶することができる。フラグは、支払いプロセスの操作を容易にするように、支払いアドレスに対応する名称等であってもよい。
【００２３】
本発明における実施例に係る仮想通貨保管取引システムは、支払いアドレスを第1の端末に記憶して、フラグを設けることにより、支払いのプロセスを便利にする。
【００２４】
上記実施例において、前記第1の端末1は、更に前記カスタムパスワードを使用して前記シードパスワードを回復するように構成される。シードパスワードが忘れられた場合、カスタムパスワードを基にシードパスワードを回復することができる。
【００２５】
本発明における実施例に係る仮想通貨保管取引システムは、シードパスワードを基にカスタムパスワードを回復することにより、カスタムパスワードが忘れられても当該システムを使い続けることができ、これにより、当該システムをより使いやすくする。
【００２６】
本発明における実施例は、以下のことを含む上記システムの使用方法を提供する。
前記第1の端末は、支払うべき金額と前記支払いアドレスが入力された後にトリガされた送信アクションを受信すると、前記カスタムパスワードを入力する入力ボックスを表示する。
【００２７】
具体的には、第1の端末は、支払うべき金額と前記支払いアドレスが入力された後にトリガされた送信アクションを受信すると、前記カスタムパスワードを入力する入力ボックスを表示する。図2は本発明における実施例に係るシステムの使用方法における取引プロセスのスクリーンショットであり、図2（a）に示すように、入金アドレスは本発明における実施例に係る支払いアドレスに対応し、複数の支払うべき金額と前記支払いアドレスを入力し、同時に送信することができる。第1の端末は、支払うべき金額と前記支払いアドレスが入力された後にトリガされた送信アクションを受信すると、図2（b）に示すように表示する。
【００２８】
前記カスタムパスワード、及び前記カスタムパスワードに対する確認アクションを受信し、判断して前記カスタムパスワードが正しいと分かると、前記支払うべき金額に対する識別コードを生成して、前記第2の端末に走査される。
【００２９】
具体的には、第1の端末は、前記カスタムパスワード、及び前記カスタムパスワードに対する確認アクションを受信し、判断して前記カスタムパスワードが正しいと分かると、前記支払うべき金額に対する識別コードを生成する。第１の端末により生成された識別コードは、前記第2の端末に走査される。図2（c）に示すのは取引プロセスのウェイティング提示であり、その後、図2（d）に示すように、第1の端末の表示画面に、生成された支払うべき金額に対する識別コードを表示する。図における「ホット端末」は、本発明における実施例に係る第2の端末に対応し、更に走査の状態を表示することができ、キャンセル又は送信済みを含むことができる。
【００３０】
前記第2の端末は、前記第1の端末の前記支払うべき金額に対する識別コードを走査し、取引の送信の確認がトリガされたアクションを受信すると、前記支払うべき金額を支払う取引アクションを前記第三者に送信することを確認して、取引記録情報を形成する。
【００３１】
具体的には、第2の端末は、前記第1の端末の前記支払うべき金額に対する識別コードを走査し、取引の送信の確認がトリガされたアクションを受信すると、前記支払うべき金額を支払う取引アクションを前記第三者に送信することを確認して、取引記録情報を形成する。図2（e）に示すように、第2の端末により、「QRコード（登録商標）のスキャン」を介して、第1の端末の前記支払うべき金額に対する識別コードを走査し、その後、図2（f）に示すような支払いアドレス及び支払うべき金額を含む情報が、「取引送信」の確認がトリガされるアクションのために表示され、取引送信の確認がトリガされたアクションを受信すると、図2（g）に示すような取引送信のウェイティング提示を表示し、その後、図2（h）、（i）に示すような取引記録情報を表示し、当該情報は取引時間、取引金額、手数料等を含むことができる。
【００３２】
本発明における実施例に係る仮想通貨保管取引システムの使用方法は、仮想通貨保管取引プロセスのセキュリティを確保する。
【００３３】
上記実施例に基づいて、前記方法は、以下のように前記第1の端末の仮想通貨を更新することを更に含む。
前記第1の端末は、残高をリフレッシュするトリガアクションを受信すると、前記保管アドレスの識別コードを表示して、前記第2の端末に走査される。
【００３４】
具体的には、第1の端末は、残高をリフレッシュするトリガアクションを受信すると、前記保管アドレスの識別コードを表示して、前記第2の端末に走査される。図3は本発明における実施例に係るシステムの使用方法において仮想通貨の金額を更新するスクリーンショットであり、図3（a）に示すような、残高をリフレッシュするトリガアクションを受信すると、図3（b）に示すような保管アドレスの識別コードを表示する。
【００３５】
前記第1の端末は、前記第2の端末が前記保管アドレスの識別コードを走査した後に返された識別コードを走査し、前記仮想通貨の金額を更新する。
【００３６】
具体的には、第1の端末は、前記第2の端末が前記保管アドレスの識別コードを走査した後に返された識別コードを走査し、前記仮想通貨の金額を更新する。第1の端末が走査するのは、図3（c）に示すような、第2の端末の画面に表示している、保管アドレスの識別コードを基に第2の端末において生成された、前記仮想通貨の金額を更新する識別コードであり、走査後、第1の端末において、図3（d）に示すような更新後の仮想通貨の金額を表示する。
【００３７】
前記第2の端末は、前記第1の端末が生成した保管アドレスに対応する識別コードを走査し、前記仮想通貨の金額を更新する識別コードを生成して、前記第1の端末に走査される。
【００３８】
具体的には、第2の端末は、前記第1の端末が生成した保管アドレスに対応する識別コードを走査し、前記仮想通貨の金額を更新する識別コードを生成して、前記第1の端末に走査される。第2の端末は、保管アドレスの識別コードを基に、図3（c）に示すような前記仮想通貨の金額を更新する識別コードを生成する。図における「コールドウォレット」は第1の端末に対応し、UTXO数量は前記仮想通貨の金額を更新する当該識別コードのデータに対応する（データ量が多いと、複数のセグメントされた識別コードを1つずつ走査することができる）。
【００３９】
本発明における実施例に係る仮想通貨保管取引システムの使用方法は、仮想通貨の金額の更新プロセスにおけるセキュリティを確保する。
【００４０】
上記実施例において、前記第1の端末は、前記方法の前に、予め以下のように設定される。
前記第1の端末は、新規財布を作成するトリガアクションを受信すると、既存財布のシードパスワードをバックアップするようにユーザーに促す第1の提示情報を表示する。
【００４１】
具体的には、第1の端末は、新規財布を作成するトリガアクションを受信すると、既存財布のシードパスワードをバックアップするようにユーザーに促す第1の提示情報を表示する。図4は本発明における実施例に係るシステムの使用方法において新規財布を作成するために行う予めの設定のスクリーンショットであり、初期画面は図4（a）に示すように、新規財布を作成するトリガアクションを受信すると、図4（b）に示すよう、その上のフローティング枠に既存財布のシードパスワードをバックアップするようにユーザーに促す第1の提示情報を表示する。
【００４２】
前記第1の端末は、前記第1の提示情報に対してトリガされた確認アクションを受信すると、前記新規財布のシードパスワード、及び前記新規財布のシードパスワードをバックアップするように前記ユーザーに促す第2の提示情報を生成する。
【００４３】
具体的には、第1の端末は、前記第1の提示情報に対してトリガされた確認アクションを受信すると、前記新規財布のシードパスワード、及び前記新規財布のシードパスワードをバックアップするように前記ユーザーに促す第2の提示情報を生成する。第1の端末は、前記第1の提示情報に対してトリガされた確認アクションを受信すると、図4（c）に示すような画面を表示し、当該画面に、生成された新規財布のシードパスワード及びシードパスワードの下の「私は既にパスワードを書き写して安全な場所に保管している」に対応する第2の提示情報が表示される。ユーザーの操作を容易にするために、「コピー」、「二次元コードを生成」のボタンを表示してもよく、前記第1の提示情報に対してトリガされたキャンセルアクションを受信すると、戻して図4（a）に示すような画面を表示する。
【００４４】
前記第1の端末は、前記第2の提示情報に対してトリガされた確認アクションを受信すると、前記新規財布のシードパスワードを再入力する入力ボックスを表示する。
【００４５】
具体的には、第1の端末は、前記第2の提示情報に対してトリガされた確認アクションを受信すると、前記新規財布のシードパスワードを再入力する入力ボックスを表示する。第1の端末は、前記第2の提示情報に対してトリガされた確認アクションを受信すると、図4（d）に示すような、前記新規財布のシードパスワードを再入力する入力ボックスを表示する。上記シードパスワードに対してコピー、貼り付けの操作を行うことができる。
【００４６】
前記第1の端末は、前記シードパスワードの入力ボックスへの入力内容の確認情報を受信し、判断して前記入力内容が正しいと分かると、カスタムパスワードを設定する入力ボックス、及び前記カスタムパスワードに対する確認入力ボックスを表示する。
【００４７】
具体的には、第1の端末は、前記シードパスワードの入力ボックスへの入力内容の確認情報を受信し、判断して前記入力内容が正しいと分かると、カスタムパスワードを設定する入力ボックス、及び前記カスタムパスワードに対する確認入力ボックスを表示する。第1の端末は、前記シードパスワードの入力ボックスへの入力内容の確認情報を受信し、判断して前記入力内容が正しいと分かると、図4（e）のような画面を表示し、当該画面にカスタムパスワードを設定する入力ボックス、及び前記カスタムパスワードに対する確認入力ボックスを表示する。
【００４８】
前記第1の端末は、前記カスタムパスワードの入力ボックス、及び前記確認入力ボックスの確認情報を受信すると、前記シードパスワードと前記カスタムパスワードを基に、前記新規財布の秘密鍵、及び、対応する前記仮想通貨を保管する保管アドレスを生成する。
【００４９】
具体的には、第1の端末は、前記カスタムパスワードの入力ボックス及び前記確認入力ボックスの確認情報を受信すると、前記シードパスワード及び前記カスタムパスワードを基に、前記新規財布の秘密鍵、及び対応する前記仮想通貨を保管する保管アドレスを生成する。第1の端末は、前記カスタムパスワードの入力ボックス及び前記確認入力ボックスの確認情報を受信すると、図4（f）に示すようなウェイティング提示画面、図4（g）に示すような保管アドレス識別子及びその下の公開鍵を表示する。
【００５０】
或いは、前記第1の端末は、既存財布を復元するトリガアクションを受信すると、前記既存財布のシードパスワードを入力する入力ボックスを表示する。
【００５１】
具体的には、第1の端末は、既存財布を復元するトリガアクションを受信すると、前記既存財布のシードパスワードを入力する入力ボックスを表示する。図5は、本発明における実施例に係るシステムの使用方法において既存財布を復元するために行う予めの設定のスクリーンショットであり、第1の端末は、既存財布を復元するトリガアクションを受信すると、図5（a）に示すような、前記既存財布のシードパスワードを入力する入力ボックスを表示する。
【００５２】
前記第1の端末は、前記既存財布のシードパスワードの入力ボックスへの入力内容の確認情報を受信し、判断して前記入力内容が正しいと分かると、カスタムパスワードを設定する入力ボックス、及び前記カスタムパスワードに対する確認入力ボックスを表示する。
【００５３】
具体的には、第1の端末は、前記既存財布のシードパスワードの入力ボックスへの入力内容の確認情報を受信し、判断して前記入力内容が正しいと分かると、カスタムパスワードを設定する入力ボックス、及び前記カスタムパスワードに対する確認入力ボックスを表示する。第1の端末は、前記既存財布のシードパスワードの入力ボックスへの入力内容の確認情報を受信し、判断して前記入力内容が正しいと分かると、図5（b）に示すような画面を表示し、当該画面に、カスタムパスワードを設定する入力ボックス、及び前記カスタムパスワードに対する確認入力ボックスが表示される。
【００５４】
前記第1の端末は、前記カスタムパスワードの入力ボックス及び前記確認入力ボックスの確認情報を受信すると、前記シードパスワードと前記カスタムパスワードを基に、前記既存財布の秘密鍵、及び対応する前記仮想通貨を保管する保管アドレスを生成する。
【００５５】
具体的には、第1の端末は、前記カスタムパスワードの入力ボックス及び前記確認入力ボックスの確認情報を受信すると、前記シードパスワードと前記カスタムパスワードを基に、前記既存財布の秘密鍵、及び対応する前記仮想通貨を保管する保管アドレスを生成する。第1の端末は、前記カスタムパスワードの入力ボックス、及び前記確認入力ボックスの確認情報を受信すると、図5（c）に示すようなウェイティング提示画面、図5（d）に示すような保管アドレス識別子及びその下の公開鍵を表示する。
【００５６】
本発明における実施例に係る仮想通貨保管取引システムの使用方法は、当該システムを予め設定することにより、システムの正常動作を確保する。
【００５７】
上記実施例に基づいて、前記方法は、前記支払うべき金額の識別コードを、セグメント化して表示することを含む。
【００５８】
具体的には、第2の端末は、前記支払うべき金額の識別コードを、セグメント化して表示する。支払うべき金額のデータ量が多いと、複数の支払うべき金額の識別コードをセグメント化して表示して、第1の端末に1つずつ走査されることができる。
【００５９】
本発明における実施例に係る仮想通貨保管取引システムの使用方法は、前記支払うべき金額の識別コードを、セグメント化して表示することにより、支払うべき金額量が多くても、当該システムが正常に実行できる。
【００６０】
以下、常用支払いアドレスの設定に対して、簡単に紹介する。
【００６１】
図6は本発明における実施例に係るシステムの使用方法において常用支払いアドレスを予め設定するスクリーンショットであり、図6（a）に示すような画面に切り替え、「連絡先」のトリガアクションを受信すると、図6（b）に示すような画面を表示し、図6（b）に示すような画面上のオプションのトリガアクションを受信すると、図6（c）に示すような画面を表示し、後続操作を容易にするために、当該画面に当該支払いアドレスに対応する名称、シンボル等を入力することができる。
【００６２】
本発明における実施例に係る仮想通貨保管取引システムの使用方法は、支払いアドレスを第1の端末に記憶して、フラグを設けることにより、支払いのプロセスを便利にする。
【００６３】
上記方法における実施例を達成するステップの全部又は一部は、プログラムにより関連するハードウェアに指令を出して完成できるが、上記プラグラムは、ROM、RAM、磁気ディスク又は光ディスク等のプログラムコードを記憶可能な様々な媒体を含む、コンピュータ読み取り可能な記録媒体に記録されてもよく、当該プラグラムが実行される時、上記方法における実施例を含むステップが実行されることを、当業者は理解するであろう。
【００６４】
以上に説明した実施例は、例示的なものであり、そのうち個別部品として説明されたユニットは、物理的に分離されてもされなくてもよく、ユニットとして示された部品は、物理ユニットであってもなくてもよく、すなわち、1つの場所に配置されてもよく、又は、複数のネットワークユニットに分布してもよい。実際の需要に応じて、そのうちの一部又は全てのモジュールを選択して本実施例の技術案を達成することができる。当業者は、創造的な労働が要らない場合に、理解して実施することができる。
【００６５】
以上の実施形態の説明により、当業者は、各実施形態がソフトウェアと必要な汎用ハードウェアプラットフォームによって達成され、勿論、ハードウェアによって達成されてもよいことを明確に理解することができる。そのような理解に基づいて、本質上の上記技術案、又は従来技術に貢献する部分が、ソフトウェア製品の形で実施することができる。当該コンピュータソフトウェア製品は、ROM/RAM、磁気ディスク、光ディスク等のコンピュータ読み取り可能な記憶媒体に記憶され、コンピュータデバイス（パーソネルコンピュータ、サーバー、もしくはネットワークデバイス等であってもよい）が各実施例又は実施例の一部に記載の方法を実行するように、複数の指令を含むことができる。
【００６６】
最後に以下のように付言する。すなわち、以上の各実施例は本発明の実施例の技術案を説明するためのものに過ぎず、本発明を限定するものではない。また、以上では、図面を参照しながら本発明の実施例を詳しく説明したが、当業者は、依然として上記各実施例に記載された技術案を変更し、又は、その一部又は全ての技術特徴を同等に置き換えることができるが、そのような変更又は置き換えは、相応する技術案の本質を本発明の各実施例の技術案の範囲から逸脱させないことを理解するであろう。
【符号の説明】
【００６７】
１…第１の端末
２…第２の端末
【図１】
2019517038.tif 000003
【図２ａ】
2019517038.tif 000004
【図２ｂ】
2019517038.tif 000005
【図２ｃ】
2019517038.tif 000006
【図２ｄ】
2019517038.tif 000007
【図２ｅ】
2019517038.tif 000008
【図２ｆ】
2019517038.tif 000009
【図２ｇ】
2019517038.tif 000010
【図２ｈ】
2019517038.tif 000011
【図２ｉ】
2019517038.tif 000012
【図３ａ】
2019517038.tif 000013
【図３ｂ】
2019517038.tif 000014
【図３ｃ】
2019517038.tif 000015
【図３ｄ】
2019517038.tif 000016
【図４ａ】
2019517038.tif 000017
【図４ｂ】
2019517038.tif 000018
【図４ｃ】
2019517038.tif 000019
【図４ｄ】
2019517038.tif 000020
【図４ｅ】
2019517038.tif 000021
【図４ｆ】
2019517038.tif 000022
【図４ｇ】
2019517038.tif 000023
【図５ａ】
2019517038.tif 000024
【図５ｂ】
2019517038.tif 000025
【図５ｃ】
2019517038.tif 000026
【図５ｄ】
2019517038.tif 000027
【図６ａ】
2019517038.tif 000028
【図６ｂ】
2019517038.tif 000029
【図６ｃ】
2019517038.tif 000030
【国際調査報告】
2019517038.tif 000031
2019517038.tif 000032
2019517038.tif 000033
2019517038.tif 000034